(57)【特許請求の範囲】
【請求項１】
スイッチケースと、複数のスイッチ操作方向にスイッチパターンを有する基板と、前記スイッチパターンに対向する位置に導電部材を設けたゴム製のスイッチ可動部と、該スイッチ可動部から立設され、スイッチケースの外部から操作可能な操作部とによって構成されるスイッチにおいて、
前記スイッチ可動部は、前記操作部が操作されると前記基板と接触するために屈曲するドーム部と、前記ドーム部の内側に配置された第１の導電部材と、前記ドーム部の内側で前記第１の導電部材の外周部に配置された第２の導電部材を有し、
前記スイッチ可動部は円周状に凸部を有し、前記操作部を垂直方向に操作したとき、前記円周状凸部の全面を支点にして作動し、前記円周状凸部の中央部に設けた前記第１の導電部材が、これに対向する位置に設けられた前記スイッチパターンと接触することによって該スイッチパターンを導通し、前記操作部をスイッチ操作方向に操作したとき、前記円周状凸部の操作方向側の凸部を支点にし作動し、前記円周状凸部の外周部に設けた前記第２の導電部材が、これに対向する位置に設けられた前記スイッチパターンと接触することによって該スイッチパターンを導通するとともに、前記円周状凸部が前記支点となって前記第１の導通部材を持ち上げて前記第１の導通部材が前記第１の導電部材に対抗する位置に設けた前記スイッチパターンと接触しないように構成し、
前記円周状凸部の外周部に設けた前記第２の導電部材は前記円周状凸部の中央部に設けた前記第１の導電部材よりも前記スイッチパターン面に遠い位置に段差があるように形設するように構成したことを特徴とする多方向スイッチ。
【発明の詳細な説明】
【０００１】
【発明の属する技術分野】
本発明は、スイッチの操作方向により、操作方向に設けた導電部材が、これに対向する位置に設けられたスイッチパターンと接触することによって、スイッチパターンを導通することでスイッチングする電子機器の多方向スイッチに関するものである。
【０００２】
【従来の技術】
従来の多方向スイッチとしては、実開昭５８−１５９１３２号公報記載のものが知られている。従来の多方向スイッチを図６および図７に示す。図６は従来例の部分透視図であり、図６は図７の断面図である。
図６と図７に示すように、スイッチ操作方向にスイッチパターン３ａないし３ｄを有する基板３と、前記スイッチパターンに対向する位置にそれぞれに導電部２ｃを設けたゴム製のスイッチドーム部２ｄがあり、それぞれのスイッチドーム２ｄに対応して設けられ、スイッチケースの外部から操作可能な操作部２ａによってスイッチが構成されている。前記操作部を前記スイッチ操作方向に操作したとき、操作方向に設けた一つの導電部材が、これに対向する位置に設けられた前記スイッチパターンと接触することによって該スイッチパターンを導通するように構成されている。
【０００３】
【発明が解決しようとする課題】
しかし、従来の多方向スイッチにおいては、図６と図７に示すように導電部及び操作部が複数で形成されるため、操作部は導電部と対向の位置に複数必要となるため、４方向であれば十字のような形状になり小型化出来ない。
さらに、操部中央部には、支点部材が設けられているため操作部を垂直方向に操作することができない。
【０００４】
そこで、この発明の目的は、従来のスイッチの有する上記課題を解決した、小型多方向スイッチを得ることである。
【０００５】
【課題を解決するための手段】
上記課題を解決するために本発明は、スイッチケースと、複数のスイッチ操作方向にスイッチパターンを有する基板と、前記スイッチパターンに対向する位置に二つの導電部材を設けたゴム製のスイッチ可動部と、該スイッチ可動部から立設され、スイッチケースの外部から操作可能な操作部とによって構成されるスイッチであって、前記操作部を前記スイッチ操作方向に操作したとき、操作方向に設けた前記導電部材が、これに対向する位置に設けられた前記スイッチパターンと接触することによって該スイッチパターンを導通するような構成とした。
【０００６】
この構成においてスイッチ可動部に円周状凸部を設け、操作部を垂直方向に操作したときは、前記円周状凸部の全面を支点に、また操作部をスイッチ操作方向に操作したときは、前記円周状凸部の操作方向側の凸部を支点にしてスイッチ可動部が揺動するようになるので、操作に都合のよい構造を実現できるように多方向スイッチを構成した。
【０００７】
【発明の実施の形態】
以下、図面に示す実施例に基づき本発明を具体的に説明する。
図１は、本発明の第一の実施例による多方向スイッチの外観図である。１はスイッチケースで、２ａはスイッチケース１の外部から操作するスイッチ操作部である。
【０００８】
操作者はこのスイッチ操作部２ａを垂直押しあるいは、操作したい方向へ倒すことでスイッチングをする。
図２は、スイッチ導電部とスイッチパターンの部分透視図、また図３は、図１のＡ−Ａ′線に沿った断面図である。
図４は、図３のスイッチ操作部２ａを垂直方向に押した断面図であり、図５は、図３のスイッチ操作部２ａをＡ方向に倒した断面図である。
【０００９】
図２と図３と図４と図５において、本発明の第一の実施例を詳細に説明する。スイッチ操作部２ａは、プラスチックで成形された部材で、その下部にはゴム製のスイッチ可動部２ｂが一体に成形されて設けられている。スイッチ可動部２ｂは、ドーム形状をしており、周辺のドーム部２ｄと周辺のスイッチ押部２ｅとからなる。スイッチ押部２ｅには、導電ゴムを印刷によって形成した導電部材２ｃとその中央部にも導電ゴムを印刷によって形成した導電部材２ｇが設けられている。また導電部材２ｇの外周には、凸部２ｆが設けられている。
【００１０】
基板３には、複数のスイッチ操作方向に対応する位置にスイッチパターン３ａないし３ｅが形成されている。スイッチケース１には、スイッチ可動部２ｂに設けたドーム部２ｄを収納するくぼみ部１ａが設けられている。このくぼみ部１ａにドーム部２ｄを収納し、さらに基板３をドーム部２ｄの下において、これをスイッチケース１に固定することで、スイッチとして組み立てられるようになっている。
【００１１】
組み立てた状態では、スイッチ押部２ｅに設けた円周状凸部２ｆが基板３に接触し、スイッチ操作部２ａは、この凸部２ｆを支点として作動するようになっている。
次に以上のように構成した多方向スイッチの動作について説明する。
図１、図２、図３、図４に示すように、例えばスイッチ操作部２ａを垂直方向に押すように動かすと、スイッチ可動部２ｃのドーム部２ｄが変形し、さらに円周状凸部２ｆ全面が、押圧されスイッチ押部２ｅの導電部材２ｇがスイッチパターン３ｅと接触し導通する。
【００１２】
一方、外周部に設けた導電部材２ｃは、導電部材２ｇよりもスイッチパターン面に遠い位置に形設しているためスイッチパターン３ａないし３ｄには接触しない事で垂直方向のスイッチがＯＮしたことになる。
さらに、図１、図２、図３、図５に示すように、例えばスイッチ操作部２ａをＡ方向に倒すように動かすと、スイッチ可動部２ｂのドーム部２ｄが屈曲し、さらにスイッチパターン３ｂ近傍にある円周状凸部２ｆの直線形状部が変形し、スイッチ押部２ｅの導電部材２ｃがＡ方向にあるスイッチパターン３ｂと接触し導通する。
【００１３】
一方、中央部に設けた導電部材２ｇは、円周状凸部２ｆの直線形状部を支点に持ち上げられるためスイッチパターン３ｅには接触しない事でＡ方向のスイッチがＯＮしたことになる。
このように、スイッチ操作部を垂直押しあるいは、多方向に倒すことで、操作方向にあるスイッチパターンとスイッチの導電部材が接触し導通する事で多方向にスイッチングすることができるようになっている。
【００１４】
【発明の効果】
以上説明したように、本発明によれば、電子機器の多方向スイッチ構造において、多方向にあるスイッチパターンを、一つの導電部と操作部によってスイッチングするように構成した。このため小型の垂直方向および多方向スイッチを実現できるようになった。
【００１５】
さらに、スイッチ操作部を垂直押した場合は、円周状凸部全面が支点となり、またスイッチ操作部を多方向に倒した場合は、円周状凸部の倒す方向の直線部が支点となるスイッチ構成により安定したスイッチ操作ができる。
【図面の簡単な説明】
【図１】本発明の第一の実施例による多方向スイッチを示す外観図である。
【図２】本発明の第一の実施例による多方向スイッチの導電部とスイッチパターンの部分透視図である。
【図３】本発明の第一の実施例による多方向スイッチの、図１のＡ−Ａ’線に沿った断面図である。
【図４】本発明の第一の実施例による多方向スイッチの、図３のスイッチ操作部を垂直に押した断面図である。
【図５】本発明の第一の実施例による多方向スイッチの、図３のスイッチ操作部をＡ方向に倒した断面図である。
【図６】従来の多方向スイッチの部分透視図である。
【図７】従来の多方向スイッチの断面図である。
【符号の説明】
１      スイッチケース
１ａ    くぼみ部
２ａ    スイッチ操作部
２ｂ    スイッチ可動部
２ｃ    導電部（凸部外周側）
２ｄ    ドーム部
２ｅ    スイッチ押部
２ｆ    凸部
２ｇ    導電部（凸部内周側）
３      基板
３ａ、３ｂ、３ｃ、３ｄ  スイッチパターン（凸部外周側）
３ｅ    スイッチパターン（凸部内周側）
【図１】
0003875425.tif 000002
【図２】
0003875425.tif 000003
【図３】
0003875425.tif 000004
【図４】
0003875425.tif 000005
【図５】
0003875425.tif 000006
【図６】
0003875425.tif 000007
【図７】
0003875425.tif 000008